【事件の表示】
　特願２０１５−２０９２４８号「遊技機」拒絶査定不服審判事件〔平成２８年２月１２日出願公開、特開２０１６−２６００３号〕について、次のとおり審決する。
【結　論】
　本件審判の請求は、成り立たない。
【理　由】
第１　手続の経緯
　本願は、平成２１年７月２８日に出願した特願２００９−１７５８４９号の一部を平成２５年９月１９日に新たな特許出願（特願２０１３−１９４５３７号）とし、さらにその一部を平成２７年１０月２３日に新たな特許出願（特願２０１５−２０９２４８号）としたものであって、平成２８年４月４日に手続補正書が提出され、平成２８年９月２日付けで拒絶の理由が通知され、平成２８年１１月１０日に意見書及び手続補正書が提出され、平成２９年４月１０日付けで最後の拒絶の理由が通知され、平成２９年６月１９日に意見書及び手続補正書が提出されたところ、平成２９年１０月１１日付け（発送日：平成２９年１０月１７日）で、平成２９年６月１９日付け手続補正が却下されるとともに拒絶査定がなされ、それに対して、平成３０年１月１７日に拒絶査定不服審判の請求がなされると同時に手続補正（以下「本件補正」という。）がなされたものである。
第２　本件補正についての補正の却下の決定
［補正の却下の決定の結論］
　本件補正を却下する。
［理由］
１　本件補正の概要
　本件補正は、特許請求の範囲を補正する内容を含んでおり、本件補正により、特許請求の範囲の請求項１は、
（補正前：平成２８年１１月１０日付け手続補正）
「【請求項１】
　開始条件が成立したことに基づいて第１識別情報の可変表示を行い表示結果を導出する第１可変表示手段と、開始条件が成立したことに基づいて第２識別情報の可変表示を、前記第１可変表示手段の可変表示よりも優先して行い表示結果を導出する第２可変表示手段と、を備え、前記第１可変表示手段又は前記第２可変表示手段に特定表示結果が導出されたときに、遊技者にとって有利な有利状態に制御可能な遊技機であって、
　前記開始条件が成立していない前記第１識別情報の可変表示又は前記第２識別情報の可変表示の表示結果が、前記特定表示結果となるか否かを判定する判定手段と、
　前記有利状態終了後、前記第２識別情報の可変表示の実行頻度を高くすることが可能な高頻度制御を実行する高頻度制御実行手段と、
　前記高頻度制御が実行されているときに、前記開始条件が成立していない前記第１識別情報の可変表示の表示結果が前記特定表示結果となることを予告する予告演出の実行を禁止する禁止手段と、
　前記第１識別情報の可変表示又は前記第２識別情報の可変表示が開始されてから表示結果が導出されるまでに一旦仮停止させた後に可変表示を再度実行する再可変表示を所定回数実行する再可変表示実行手段と、
　前記再可変表示が実行されるときに、当該再可変表示の回数に応じた演出を実行する演出実行手段と、を備える、
　ことを特徴とする遊技機。」
から、
（補正後：本件補正である平成３０年１月１７日付け手続補正）
「【請求項１】
　開始条件が成立したことに基づいて第１識別情報の可変表示を行い表示結果を導出する第１可変表示手段と、開始条件が成立したことに基づいて第２識別情報の可変表示を、前記第１可変表示手段の可変表示よりも優先して行い表示結果を導出する第２可変表示手段と、を備え、前記第１可変表示手段又は前記第２可変表示手段に特定表示結果が導出されたときに、遊技者にとって有利な有利状態に制御可能な遊技機であって、
　前記開始条件が成立していない前記第１識別情報の可変表示又は前記第２識別情報の可変表示の表示結果が、前記特定表示結果となるか否かを判定する判定手段と、
　前記有利状態終了後、前記第２識別情報の可変表示の実行頻度を高くすることが可能な高頻度制御を実行する高頻度制御実行手段と、
　前記高頻度制御が実行されているときに、前記開始条件が成立していない前記第１識別情報の可変表示の表示結果が前記特定表示結果となることを予告する予告演出の実行を禁止する禁止手段と、
　前記第１識別情報の可変表示又は前記第２識別情報の可変表示が開始されてから表示結果が導出されるまでに一旦仮停止させた後に可変表示を再度実行する再可変表示を所定回数実行する再可変表示実行手段と、
　前記再可変表示が実行されるときに、当該再可変表示の回数に応じた演出を実行する演出実行手段と、を備
え、
　前記再可変表示が実行されるときに、第１の種類数の演出が実行される場合よりも、該第１の種類数よりも多い第２の種類数の演出が実行される場合の方が、前記有利状態となる期待度が高い、
　ことを特徴とする遊技機。」
に補正された（下線は、補正箇所を明示するために当審で付した）。
２　本件補正の適否
　本件補正は、本件補正前の請求項１に記載された発明を特定するために必要な事項である「演出実行手段」が実行する演出について、上記のとおり限定を付加するものであって、補正前の請求項１に記載された発明と補正後の請求項１に記載される発明の産業上の利用分野及び解決しようとする課題が同一であるから、特許法１７条の２第５項第２号の特許請求の範囲の減縮を目的とするものに該当する。
　また、当該限定した事項は、本願の願書に最初に添付した明細書、特許請求の範囲又は図面（以下「当初明細書等」という。）の明細書【００５７】に記載された事項であるから、本件補正は、当初明細書等の記載の範囲内においてしたものである。
　そこで、本件補正後の請求項１に係る発明（以下「本願補正発明」という。）が特許法第１７条の２第６項において準用する同法第１２６条第７項の規定に適合するか（特許出願の際独立して特許を受けることができるものであるか）について以下に検討する。
３　本願補正発明の独立特許要件についての検討
（１）本願補正発明について
　本願補正発明は、上記１の本件補正の概要に示した次のとおりのものである（Ａ〜Ｈは、本願補正発明を分説するため当審にて付与した。）
「【請求項１】
Ａ　開始条件が成立したことに基づいて第１識別情報の可変表示を行い表示結果を導出する第１可変表示手段と、開始条件が成立したことに基づいて第２識別情報の可変表示を、前記第１可変表示手段の可変表示よりも優先して行い表示結果を導出する第２可変表示手段と、を備え、前記第１可変表示手段又は前記第２可変表示手段に特定表示結果が導出されたときに、遊技者にとって有利な有利状態に制御可能な遊技機であって、
Ｂ　前記開始条件が成立していない前記第１識別情報の可変表示又は前記第２識別情報の可変表示の表示結果が、前記特定表示結果となるか否かを判定する判定手段と、
Ｃ　前記有利状態終了後、前記第２識別情報の可変表示の実行頻度を高くすることが可能な高頻度制御を実行する高頻度制御実行手段と、
Ｄ　前記高頻度制御が実行されているときに、前記開始条件が成立していない前記第１識別情報の可変表示の表示結果が前記特定表示結果となることを予告する予告演出の実行を禁止する禁止手段と、
Ｅ　前記第１識別情報の可変表示又は前記第２識別情報の可変表示が開始されてから表示結果が導出されるまでに一旦仮停止させた後に可変表示を再度実行する再可変表示を所定回数実行する再可変表示実行手段と、
Ｆ　前記再可変表示が実行されるときに、当該再可変表示の回数に応じた演出を実行する演出実行手段と、を備え、
Ｇ　前記再可変表示が実行されるときに、第１の種類数の演出が実行される場合よりも、該第１の種類数よりも多い第２の種類数の演出が実行される場合の方が、前記有利状態となる期待度が高い、
Ｈ　ことを特徴とする遊技機。」
（２）引用文献の記載事項
ア　引用文献１
　原査定の拒絶の理由で引用された、本願の出願前に頒布された又は電気通信回線を通じて公衆に利用可能となった刊行物である特開２００９−１３６４３５号公報（平成２１年６月２５日出願公開。以下「引用文献１」という。）には、図面と共に次の事項が記載されている（下線は当審にて付した。以下同様）。
（ア）「【００２８】
　〔第１実施形態〕
　以下、本発明の実施の形態を、図面を参照して説明する。まず、
遊技機の一例であるパチンコ遊技機１
（イ）「【００３２】
　遊技盤６における下部の左側には、
識別情報としての第１特別図柄を変動表示する第１特別図柄表示器
８ａ
識別情報としての第２特別図柄を変動表示する第２特別図柄表示器（
８ｂ
（ウ）「【００３５】
　
第１特別図柄または第２特別図柄の変動表示は、
第２始動条件（遊技球が第２始動入賞口１４に入賞したこと）が成立した後、変動表示の開始条件
が成立したことに基づいて開始され、
表示結果（停止図柄）を導出表示する
【００３６】
　なお、入賞とは、入賞口等の予め入賞領域として定められている領域に遊技球が入ったことである。また、表示結果を導出表示するとは、図柄（識別情報の例）を停止表示させることである（いわゆる再変動の前の停止を除く。）。また、この実施の形態では、第１始動入賞口１３への入賞および第２始動入賞口１４への入賞に関わりなく、始動入賞が生じた順に変動表示の開始条件を成立させるが、第１始動入賞口１３への入賞と
第２始動入賞口１４への入賞
を優先させて変動表示の開始条件を成立させるようにしてもよい
（エ）「【００４１】
　また、第１始動入賞口（第１始動口）１３を有する入賞装置の下方には、遊技球が入賞可能な
第２始動入賞口１４を有する可変入賞球装置１５
可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態（第１状態）になる。
（オ）「【０１０４】
　次に、この実施の形態の
パチンコ遊技機１における演出表示装置９で実行される擬似連の表示演出
擬似連とは、本来は１つの保留記憶に対応する１回の変動であるものの複数の保留記憶に対応する複数回の変動が連続して行なわれているように見せる演出表示
【０１０５】
　
図６は、擬似連の表示演出例を示す説明図である。
（カ）「【０１０８】
　図６（Ｃ）に示す
パターンｃは、それぞれの再変動（初回変動も含む。）の期間中に、演出表示装置９において特定のキャラクタ画像が表示される
演出図柄の１回の変動中に２回の仮定期間（当審注：図６（Ｃ）の記載からして、「仮停止期間」の誤記である）が設けられ、３回の再変動（初回変動も含む。）が行なわれる例
これに限らず、仮停止の回数は、１回の場合もあってもよいし、３回以上であってもよい
（キ）「【０１１４】
　図９は、演出表示装置９における
パターンｃの再変動演出の具体例
初回変動の期間において、特定のキャラクタ画像７９ａが演出表示装置９において表示され、初回変動に続く再変動期間において、特定のキャラクタ画像７９ｂ（特定のキャラクタ画像７９ａと関連する画像であって、演出が発展したかのように遊技者に感じさせる画像）が演出表示装置９において表示される
（ク）「【０１２１】
　
第１特別図柄表示器８ａまたは第２特別図柄表示器８ｂにおいて、
特別図柄の変動表示結果である停止図柄を停止表示（導出表示）する。大当りにすることに決定されている場合には、特定の特別図柄（大当り図柄）が停止表示される。
大当り図柄が導出表示された場合には、遊技状態が、
大当り遊技状態に制御される。
（ケ）「【０１２５】
　
遊技状態を確変状態に制御することに決定されている場合には、大当り遊技状態が終了した後、遊技状態が確変状態に制御される
（コ）「【０１２８】
　また、
確変状態では、
始動入賞口１３（当審注：普通図柄表示器１０の停止図柄が当り図柄になる確率が高められることにより、開放しやすくなるのであるから、「始動入賞口１３」ではなく、「始動入賞口１４」とすべきものの誤記である。）が開放しやすくなって、始動入賞が生じやすくなっている
（サ）「【０１７１】
  図２７（Ｃ）は、
パターンｃの擬似連の演出パターン
「Ｃ・Ｃ」は、初回変動とそれに続く再変動のそれぞれにおいて
再変動演出が実行される
「Ｃ・Ｃ・Ｃ」は、初回変動、それに続く再変動、およびさらに続く再変動のそれぞれにおいて
再変動演出が実行される
「Ｃ・Ｃ・Ｃ」における再変動演出Ｃ３の期間において
特定のキャラクタ画像７９ｃ（図１１（Ｇ）参照）が表示される
（シ）「【０２０２】
　図３１は、
主基板３１に搭載される遊技制御用マイクロコンピュータ５６０（具体的には、ＣＰＵ５６）が実行する特別図柄プロセス処理（Ｓ２６）のプログラムの一例を示すフローチャート
内部状態に応じて、Ｓ３００〜Ｓ３１０のうちのいずれかの処理を行なう
【０２０３】
　Ｓ３００〜Ｓ３１０の処理は、以下のような処理である。
　
特別図柄通常処理（Ｓ３００）：特別図柄プロセスフラグの値が０であるときに実行される。
第１特別図柄または第２特別図柄の変動表示の表示結果を大当りとするか否か
を決定する。
【０２０４】
　
変動パターン設定処理（Ｓ３０１）：特別図柄プロセスフラグの値が１であるときに実行される
（ス）「【０２２７】
　図３４および図３５は、
特別図柄プロセス処理における特別図柄通常処理（Ｓ３００）を示すフローチャート
（セ）「【０２４１】
　そして、
特別図柄プロセスフラグの値を変動パターン設定処理（Ｓ３０１）に対応した値に更新する（Ｓ７６）
（ソ）「【０２４２】
　図３６は、
特別図柄プロセス処理における変動パターン設定処理（Ｓ３０１）
（タ）「【０２４９】
　そして、変動パターンとして、擬似連の演出を含む変動パターンを決定しているか否かを確認する（Ｓ１０５Ａ）。
変動パターンとして、擬似連の演出を含む変動パターンを決定しているときに、
擬似連の演出を含む変動パターンを複数種類のうちのいずれかに決定する（Ｓ１０５Ｂ）。
（チ）「【０２５１】
　次いで、
決定した変動パターンに対応する演出制御コマンド（変動パターンコマンド）を、演出制御用マイクロコンピュータ１００に送信する制御を行なう（Ｓ１０６）
【０２５２】
　また、
特別図柄の変動を開始する（Ｓ１０７）
　以上の記載事項（ア）〜（チ）から、引用文献１には、次の技術的事項が記載されているものと認められる（ａ〜ｈは、本願補正発明の分説Ａ〜Ｈに対応させている）。
（ａ、ｈ）記載事項（ア）、（イ）から、パチンコ遊技機１には、識別情報としての第１特別図柄を変動表示する第１特別図柄表示器８ａと、識別情報としての第２特別図柄を変動表示する第２特別図柄表示器８ｂが備えられることが記載されている。
　また、記載事項（ウ）から、第１特別図柄または第２特別図柄の変動表示は、変動表示の開始条件が成立したことに基づいて開始され、表示結果（停止図柄）を導出表示すること、第２始動入賞口１４への入賞を優先させて変動表示の開始条件を成立させるようにしてもよいことが、記載されている。
　さらに、記載事項（ク）から、第１特別図柄表示器８ａまたは第２特別図柄表示器８ｂにおいて、特定の特別図柄（大当り図柄）が導出表示された場合には、遊技状態が、大当り遊技状態に制御されることが記載されている。
　また、記載事項（シ）から、主基板３１に搭載される遊技制御用マイクロコンピュータ５６０が実行する特別図柄プロセス処理（Ｓ２６）のフローチャート及び内部状態に応じて、Ｓ３００〜Ｓ３１０のうちのいずれかの処理を行なうこと（【０２０２】）、変動パターン設定処理（Ｓ３０１）は特別図柄プロセスフラグの値が１であるときに実行されること（【０２０４】）が記載されている。そして、記載事項（ス）、（セ）、（ソ）、（チ）から、特別図柄通常処理（Ｓ３００）（【０２２７】）において、特別図柄プロセスフラグの値を変動パターン設定処理（Ｓ３０１）に対応した値に更新（【０２４１】）し、特別図柄プロセス処理における変動パターン設定処理（Ｓ３０１）（【０２４２】）において、特別図柄の変動を開始する（Ｓ１０７）（【０２５２】）ことが記載されている。これらのことからすると、特別図柄プロセスフラグの値が変動パターン設定処理（Ｓ３０１）に対応した値であることに応じて、特別図柄の変動を開始することが記載されている。
　以上をまとめると、引用文献１には、
特別図柄プロセスフラグの値が変動パターン設定処理（Ｓ３０１）に対応した値であることに応じて特別図柄の変動を開始するものであり、識別情報としての第１特別図柄を変動表示し表示結果（停止図柄）を導出表示する第１特別図柄表示器８ａと、識別情報としての第２特別図柄を、第２始動入賞口１４への入賞を優先させて変動表示し、表示結果（停止図柄）を導出表示する第２特別図柄表示器８ｂとを備え、第１特別図柄表示器８ａまたは第２特別図柄表示器８ｂにおいて、特定の特別図柄（大当り図柄）が導出表示された場合には、遊技状態が、大当り遊技状態に制御されるパチンコ遊技機１
（ｂ）記載事項（シ）から、
特別図柄プロセスフラグの値が０であるときに実行される特別図柄通常処理（Ｓ３００）において、第１特別図柄または第２特別図柄の変動表示の表示結果を大当りとするか否かを決定すること（
（ｃ）記載事項（ケ）から、遊技状態を確変状態に制御することに決定されている場合には、大当り遊技状態が終了した後、遊技状態が確変状態に制御されることが、記載事項（コ）から、確変状態では、始動入賞口１４が開放しやすくなって、始動入賞が生じやすくなることが、記載事項（エ）から、可変入賞球装置１５が開状態になることによって、遊技球が第２始動入賞口１４に入賞可能になり（始動入賞し易くなり）、遊技者にとって有利な状態になることが、それぞれ記載されており、また、記載事項（ウ）に、第２特別図柄の変動表示は、第２始動条件（遊技球が第２始動入賞口１４に入賞したこと）が成立した後に、開始されることが記載されている。これらのことからすると、引用文献１には、
大当り遊技状態が終了した後、始動入賞口１４が開放しやすくなって、始動入賞が生じやすくなることで、第２特別図柄の変動表示が開始されやすくなる確変状態に制御しうること
（ｅ）記載事項（ソ）、（タ）、（チ）から、特別図柄プロセス処理における変動パターン設定処理（Ｓ３０１）（【０２４２】）において、変動パターンとして、擬似連の演出を含む変動パターンを決定しているときに、擬似連の演出を含む変動パターンを複数種類のうちのいずれかに決定する（Ｓ１０５Ｂ）こと（【０２４９】）、特別図柄の変動を開始する（Ｓ１０７）こと（【０２５２】）が、記載されている。
　また、記載事項（オ）から、擬似連とは、本来は１つの保留記憶に対応する１回の変動であるものの複数の保留記憶に対応する複数回の変動が連続して行なわれているように見せる演出表示であること（【０１０４】）、擬似連の表示演出例として（【０１０５】）、それぞれの再変動（初回変動も含む。）の期間中に、演出表示装置９において特定のキャラクタ画像が表示されること、演出図柄の１回の変動中に２回の仮停止期間が設けられ、３回の再変動（初回変動も含む。）が行なわれることが、それぞれ記載されている。
　これらのことからすると、引用文献１には、
本来は１つの保留記憶に対応する１回の変動であるものの複数の保留記憶に対応する複数回の変動が連続して行なわれているように見せる演出表示であり、演出図柄の１回の変動中に仮停止期間が設けられ、再変動（初回変動も含む。）が行なわれる、擬似連の演出を含む変動パターンを決定し、特別図柄の変動を開始すること
（ｆ）記載事項（ソ）、（チ）から、特別図柄プロセス処理における変動パターン設定処理（Ｓ３０１）（【０２４２】）において、決定した変動パターンに対応する演出制御コマンド（変動パターンコマンド）を、演出制御用マイクロコンピュータ１００に送信する制御を行なう（Ｓ１０６）こと（【０２５１】）、また、記載事項（オ）から、擬似連の表示演出がパチンコ遊技機１における演出表示装置９で実行されること（【０１０４】）が記載されている。
　これらのことからすると、引用文献１には、
決定した変動パターンに対応して、演出表示装置９で擬似連の表示演出を行うこと
（ｇ）記載事項（オ）、（カ）、（キ）から、擬似連の表示演出例として（【０１０５】）、それぞれの再変動（初回変動も含む。）の期間中に、演出表示装置９において特定のキャラクタ画像が表示されること、演出図柄の１回の変動中に２回の仮停止期間が設けられ、３回の再変動（初回変動も含む。）が行なわれる例に限らず、仮停止の回数は、１回の場合もあってもよいし、３回以上であってもよいこと（【０１０８】）、また、初回変動の期間において、特定のキャラクタ画像７９ａが演出表示装置９において表示され、初回変動に続く再変動期間において、特定のキャラクタ画像７９ｂ（特定のキャラクタ画像７９ａと関連する画像であって、演出が発展したかのように遊技者に感じさせる画像）が演出表示装置９において表示されること（【０１１４】）が、記載されている。さらに、記載事項（サ）から、擬似連の演出パターンとして、「Ｃ・Ｃ」は、初回変動とそれに続く再変動のそれぞれにおいて再変動演出が実行され、「Ｃ・Ｃ・Ｃ」は、初回変動、それに続く再変動、およびさらに続く再変動のそれぞれにおいて再変動演出が実行されること、「Ｃ・Ｃ・Ｃ」における再変動演出Ｃ３の期間において特定のキャラクタ画像７９ｃ（図１１（Ｇ）参照）が表示されることが記載されている。
　これらのことからすると、引用文献１には、
擬似連の表示演出として、仮停止の回数が１回の場合に、初回変動の期間において、キャラクタ画像７９ａが表示され、初回変動に続く再変動期間において、キャラクタ画像７９ｂ表示され、仮停止の回数が２回の場合には、初回変動、それに続く再変動にさらに続く再変動の期間において、キャラクタ画像７９ｃが表示されること
　以上の記載事項（ア）〜（チ）及び認定事項（ａ）〜（ｈ）を総合すると、引用文献１には、以下の発明（以下、「引用発明」という。）が記載されている（分説ａ〜ｈは、本願補正発明の分説Ａ〜Ｈに対応させて付与した）。
「ａ　特別図柄プロセスフラグの値が変動パターン設定処理（Ｓ３０１）に対応した値であることに応じて特別図柄の変動を開始するものであり、識別情報としての第１特別図柄を変動表示し表示結果（停止図柄）を導出表示する第１特別図柄表示器８ａと、識別情報としての第２特別図柄を、第２始動入賞口１４への入賞を優先させて変動表示し、表示結果（停止図柄）を導出表示する第２特別図柄表示器８ｂとを備え、第１特別図柄表示器８ａまたは第２特別図柄表示器８ｂにおいて、特定の特別図柄（大当り図柄）が導出表示された場合には、遊技状態が、大当り遊技状態に制御されるパチンコ遊技機１であって、
ｂ　特別図柄プロセスフラグの値が０であるときに実行される特別図柄通常処理（Ｓ３００）において、第１特別図柄または第２特別図柄の変動表示の表示結果を大当りとするか否かを決定し、
ｃ　大当り遊技状態が終了した後、始動入賞口１４が開放しやすくなって、始動入賞が生じやすくなることで、第２特別図柄の変動表示が開始されやすくなる確変状態に制御しうるものであり、
ｅ　本来は１つの保留記憶に対応する１回の変動であるものの複数の保留記憶に対応する複数回の変動が連続して行なわれているように見せる演出表示であり、演出図柄の１回の変動中に仮停止期間が設けられ、再変動が行なわれる、擬似連の演出を含む変動パターンを決定し、特別図柄の変動を開始し、
ｆ　決定した変動パターンに対応して、演出表示装置９で擬似連の表示演出を行い、
ｇ　擬似連の表示演出として、仮停止の回数が１回の場合に、初回変動の期間において、キャラクタ画像７９ａが表示され、初回変動に続く再変動期間において、キャラクタ画像７９ｂ表示され、仮停止の回数が２回の場合には、初回変動、それに続く再変動にさらに続く再変動の期間において、キャラクタ画像７９ｃが表示される
ｈ　パチンコ遊技機１。」
イ　引用文献２
　原査定の拒絶の理由で引用された、本願の出願前に頒布された又は電気通信回線を通じて公衆に利用可能となった刊行物である、「噂をズバッと！！」、パチンコ攻略マガジン２００８年８月２４日号、株式会社双葉社発行、発行日２００８年８月２４日、第１４１頁（以下「引用文献２」という。）には、次の事項が記載されている。
（ア）「保留の先読み機能（連続予告）に関する内規がようやく制定される模様。前号で報じた通り、特別図柄が２個（保留８個タイプ）で優先消化機能を有する場合には、「電チューサポート時及び大当たり中は、優先変動されない特別図柄（主にヘソ入賞対応の方）では、先読み演出を発生させない（正確には先読みされた情報、及びその結果得られた情報については、主制御ＣＰＵから出力しない）」というもの。」（第１４１頁最下段第１４行〜第２５行）
　上記記載事項（ア）から、引用文献２には、次の技術的事項が記載されているものと認められる。
　「特別図柄が２個（保留８個タイプ）で優先消化機能を有する場合には、電チューサポート時は、優先変動されない特別図柄（主にヘソ入賞対応の方）では、先読み演出を発生させないこと」
ウ　引用文献３
　周知技術の例として引用する、本願の出願前に頒布された又は電気通信回線を通じて公衆に利用可能となった刊行物である、特開２００９−５６１４６号公報（以下「引用文献３」という。）には、図面と共に次の事項が記載されている（下線は当審にて付した。以下同様）。
（ア）「【００４８】
  「擬似連」の特定演出では、特別図柄や飾り図柄の可変表示を開始するための開始条件が１回成立したことに基づき、「左」、「中」、「右」の飾り図柄表示部５Ｌ、５Ｃ、５Ｒにおける全部にて飾り図柄を変動させてから、全部の飾り図柄表示部５Ｌ、５Ｃ、５Ｒにて飾り図柄を仮停止表示させた後、全部の飾り図柄表示部５Ｌ、５Ｃ、５Ｒにて飾り図柄を再び変動（擬似連続変動あるいは擬似連再変動）させる演出表示を、所定回行うことができる。一例として、「擬似連」の特定演出では、「左」、「中」、「右」の飾り図柄表示部５Ｌ、５Ｃ、５Ｒにて、図３（Ａ）に示す擬似連チャンス目ＧＣ１〜ＧＣ８のいずれかを構成する飾り図柄が仮停止表示される。そして、
擬似連続変動の回数が多くなるに従って、可変表示結果が「大当り」となる割合が高くなるように設定されていればよい
【００４９】
  
「擬似連」の特定演出が実行される飾り図柄の可変表示中には、擬似連続変動の進行に伴って、例えば画像表示装置５の表示領域に所定のキャラクタ画像を表示する
【００５０】
  一例として、「左」、「中」、「右」の飾り図柄表示部５Ｌ、５Ｃ、５Ｒにおける全部にて飾り図柄を変動させてから、「左」、「中」、「右」の飾り図柄表示部５Ｌ、５Ｃ、５Ｒのいずれにおいても飾り図柄が仮停止表示されていないときに、
画像表示装置５の表示領域における所定位置に、予め用意されたキャラクタ画像を表示させる演出表示（キャラクタ表示）が行われることがある。このときには、開始条件が１回成立したことに基づいて行われた擬似連続変動の回数に応じて、予め用意された複数種類のキャラクタ画像を所定の順番に従って表示させる演出表示（いわゆるステップアップ表示）が行われるようにすればよい
エ　引用文献４
　周知技術の例として引用する、本願の出願前に頒布された又は電気通信回線を通じて公衆に利用可能となった刊行物である、特開２００１−６８０号公報（以下「引用文献４」という。）には、図面と共に次の事項が記載されている（下線は当審にて付した。以下同様）。
（ア）「【００１３】
【課題を解決するための手段】上記目的を達成するため、本発明の
第一の観点にかかる遊技機は
最終表示態様決定手段によって決定された最終表示態様で識別情報を停止させるまでの間、当該識別情報を所定の表示態様でいったん仮停止した後、再び変動表示を行う再変動表示を所定数回実行する再変動表示実行手段と、再変動表示実行手段によって再変動表示が実行される際、抽選手段の抽選結果に基づいて、特定遊技状態となる可能性の程度に対応付けられた期待値を表示する期待値表示手段とを備える
（イ）「【００１７】なお、前述した
第一
の観点にかかる遊技機に追加して
抽選手段による抽選結果から特定遊技状態となる可能性を示す期待値を設定する期待値設定手段と、期待値設定手段によって設定された期待値に応じて、前記再変動表示実行手段によって再変動表示を実行する回数を設定する再変動回数設定手段とを備えるようにする。これによって、例えば、特定遊技状態となる期待値が高ければ高いほど、再変動表示の回数が多くなるように設定しておくことにより、再変動表示の回数によっても大当たりとなる期待度を把握することができる
（ウ）「【００２１】そして、
表示装置上に所定種別のキャラクタ画像を所定数表示させるキャラクタ画像表示手段を備え、キャラクタ画像表示手段は、再変動回数設定手段により設定された再変動の回数に対応して、表示させるキャラクタ画像の種別
を決定することが有効である。すなわち、再変動表示の際にキャラクタ画像を表示させる場合、再変動の回数に応じて異なる種別のキャラクタ画像を表示させ
ることで、キャラクタ画像の種別
から大当たりとなる期待度を容易に把握することができる
（３）対比
　本願補正発明と引用発明とを対比する（見出しａ〜ｈは、本願補正発明の分説Ａ〜Ｈに対応させて付与した）。
ａ、ｈ　引用発明は、特別図柄プロセスフラグの値が変動パターン設定処理（Ｓ３０１）に対応した値であることに応じて特別図柄の変動を開始するものであるから、引用発明の「特別図柄プロセスフラグの値が変動パターン設定処理（Ｓ３０１）に対応した値であること」が、本願補正発明の「開始条件が成立したこと」に相当する。また、引用発明の「識別情報としての第１特別図柄を変動表示し表示結果（停止図柄）を導出表示する第１特別図柄表示器８ａ」及び「識別情報としての第２特別図柄を、第２始動入賞口１４への入賞を優先させて変動表示し、表示結果（停止図柄）を導出表示する第２特別図柄表示器８ｂ」はそれぞれ、本願補正発明の「第１識別情報の可変表示を行い表示結果を導出する第１可変表示手段」及び「第２識別情報の可変表示を、前記第１可変表示手段の可変表示よりも優先して行い表示結果を導出する第２可変表示手段」に相当する。さらに、引用発明の「第１特別図柄表示器８ａまたは第２特別図柄表示器８ｂにおいて、特定の特別図柄（大当り図柄）が導出表示された場合には、遊技状態が、大当り遊技状態に制御される」ことは、本願補正発明の「前記第１可変表示手段又は前記第２可変表示手段に特定表示結果が導出されたときに、遊技者にとって有利な有利状態に制御可能」であることに相当する。そうすると、引用発明の「特別図柄プロセスフラグの値が変動パターン設定処理（Ｓ３０１）に対応した値であることに応じて特別図柄の変動を開始するものであり、識別情報としての第１特別図柄を変動表示し表示結果（停止図柄）を導出表示する第１特別図柄表示器８ａと、識別情報としての第２特別図柄を、第２始動入賞口１４への入賞を優先させて変動表示し、表示結果（停止図柄）を導出表示する第２特別図柄表示器８ｂとを備え、第１特別図柄表示器８ａまたは第２特別図柄表示器８ｂにおいて、特定の特別図柄（大当り図柄）が導出表示された場合には、遊技状態が、大当り遊技状態に制御されるパチンコ遊技機１」は、本願補正発明の「開始条件が成立したことに基づいて第１識別情報の可変表示を行い表示結果を導出する第１可変表示手段と、開始条件が成立したことに基づいて第２識別情報の可変表示を、前記第１可変表示手段の可変表示よりも優先して行い表示結果を導出する第２可変表示手段と、を備え、前記第１可変表示手段又は前記第２可変表示手段に特定表示結果が導出されたときに、遊技者にとって有利な有利状態に制御可能な遊技機」に相当する。
ｂ　引用発明の「特別図柄プロセスフラグの値が０であるときに実行される特別図柄通常処理（Ｓ３００）」について、上記（３）対比ａで示したように、引用発明の「特別図柄プロセスフラグの値が変動パターン設定処理（Ｓ３０１）に対応した値であること」が、本願補正発明の「開始条件が成立したこと」に相当することからすると、引用発明の「特別図柄プロセスフラグの値が０であるとき」は、「特別図柄プロセスフラグの値が変動パターン設定処理（Ｓ３０１）に対応した値」ではないから、本願補正発明の「前記開始条件が成立していない」ことに相当する。そして、引用発明の「第１特別図柄または第２特別図柄の変動表示の表示結果を大当りとするか否かを決定」することは、本願補正発明の「前記第１識別情報の可変表示又は前記第２識別情報の可変表示の表示結果が、前記特定表示結果となるか否かを判定する」ことに相当する。そうすると、引用発明の「特別図柄プロセスフラグの値が０であるときに実行される特別図柄通常処理（Ｓ３００）において、第１特別図柄または第２特別図柄の変動表示の表示結果を大当りとするか否かを決定」することは、本願補正発明の「前記開始条件が成立していない前記第１識別情報の可変表示又は前記第２識別情報の可変表示の表示結果が、前記特定表示結果となるか否かを判定する判定手段」に相当する。
　ここで、本願補正発明の「開始条件」について付言する。本願の明細書には「開始条件が成立したこと（例えばステップＳ２３１にてＹｅｓの判定がなされたことなど）」（【０００９】）との記載があり、また、出願人が提出する平成２８年４月４日付けの上申書では、該上申書と同日付けの手続補正書による特許請求の範囲の補正について、「イ．「前記開始条件が成立していない前記第１識別情報の可変表示又は前記第２識別情報の可変表示の表示結果が、前記特定表示結果となるか否かを判定する判定手段」についての補正事項は、原出願の出願当初明細書の段落０２２６の『特別図柄や飾り図柄の可変表示結果を「大当り」や「小当り」とするか否かを、その可変表示結果が導出表示される以前に決定（事前決定）する。』との記載等に基づきます。」と、説明している。
　しかし、「開始条件が成立したこと」を「ステップＳ２３１にてＹｅｓの判定がなされたこと」とすると、ステップＳ２３１は「第１保留記憶数と第２保留記憶数の合計値である合計保留記憶数が「０」であるか否かを判定する（図２５に示すステップＳ２３１）」（【０２３７】）ものであり、「図２５のステップＳ２３１にて合計保留記憶数が「０」である場合には（ステップＳ２３１；Ｙｅｓ）、所定のデモ表示設定を行ってから（ステップＳ２５６）、特別図柄通常処理を終了する。」（【０２４８】）と記載されていることからすると、この場合に、「開始条件が成立したことに基づいて第１識別情報の可変表示を行い表示結果を導出する」ことや、「開始条件が成立したことに基づいて第２識別情報の可変表示を、前記第１可変表示手段の可変表示よりも優先して行い表示結果を導出する」ことにはならない。
　また、「開始条件が成立したこと」が「ステップＳ２３１にてＮｏの判定がなされたこと」であるとすると、本願補正発明の分説Ｂの「前記開始条件が成立していない」場合には「所定のデモ表示設定を行ってから（ステップＳ２５６）、特別図柄通常処理を終了する。」（【０２４８】）こととなるから、「Ｂ　前記開始条件が成立していない前記第１識別情報の可変表示又は前記第２識別情報の可変表示の表示結果が、前記特定表示結果となるか否かを判定する」ことにはならない。
　さらに、「前記開始条件が成立していない」ことが、「その可変表示結果が導出表示される以前」を意味するものであるとすると、「開始条件が成立したこと」とは、「可変表示結果が導出表示され」たこととなり、本願補正発明の分説Ａの「開始条件が成立したことに基づいて第１識別情報の可変表示を行い表示結果を導出する」は矛盾した記載となる。
　これらのことからも、引用発明と本願補正発明との対比に当り、本願補正発明の「開始条件」について、上記（３）対比ａ、ｂで示したように判断することは、妥当である。
ｃ　引用発明の「始動入賞口１４が開放しやすくなって、始動入賞が生じやすくなることで、第２特別図柄の変動表示が開始されやすくなる」ことが、本願補正発明の「前記第２識別情報の可変表示の実行頻度を高くすること」に相当することは明らかである。そうすると、引用発明の「大当り遊技状態が終了した後、始動入賞口１４が開放しやすくなって、始動入賞が生じやすくなることで、第２特別図柄の変動表示が開始されやすくなる確変状態に制御しうるもの」は、本願補正発明の「前記有利状態終了後、前記第２識別情報の可変表示の実行頻度を高くすることが可能な高頻度制御を実行する高頻度制御実行手段」に相当する。
ｅ　引用発明において、「本来は１つの保留記憶に対応する１回の変動であるものの複数の保留記憶に対応する複数回の変動が連続して行なわれているように見せる演出表示であり、演出図柄の１回の変動中に仮停止期間が設けられ、再変動（初回変動も含む。）が行なわれる、擬似連の演出」に関して、まず、引用発明の「演出図柄の１回の変動中に仮停止期間が設けられ、再変動が行なわれる」ことは、本願補正発明の「表示結果が導出されるまでに一旦仮停止させた後に可変表示を再度実行する再可変表示を所定回数実行する」ことに相当する。また、引用発明の「１回の変動」とは、引用発明の分説ａの記載からすると、第１又は第２特別図柄を変動表示し表示結果（停止図柄）を導出表示することであるから、本願補正発明の「前記第１識別情報の可変表示又は前記第２識別情報の可変表示が開始されてから表示結果が導出されるまで」に相当する。そうすると、引用発明の「本来は１つの保留記憶に対応する１回の変動であるものの複数の保留記憶に対応する複数回の変動が連続して行なわれているように見せる演出表示であり、演出図柄の１回の変動中に仮停止期間が設けられ、再変動が行なわれる、擬似連の演出を含む変動パターンを決定し、特別図柄の変動を開始」することは、本願補正発明の「前記第１識別情報の可変表示又は前記第２識別情報の可変表示が開始されてから表示結果が導出されるまでに一旦仮停止させた後に可変表示を再度実行する再可変表示を所定回数実行する再可変表示実行手段」に相当する。
ｆ　引用発明の「決定した変動パターンに対応して、演出表示装置９で擬似連の表示演出を行」うことは、本願補正発明の「前記再可変表示が実行されるときに、当該再可変表示の回数に応じた演出を実行する演出実行手段」に相当する。
ｇ　引用発明において、初回変動、それに続く再変動、さらに続く再変動の期間に、それぞれキャラクタ画像７９ａ、７９ｂ、７９ｃが表示されることは、異なる種類の表示演出を行っているものである。そうすると、引用発明における、「仮停止の回数が１回の場合」及び「仮停止の回数が２回の場合」は、それぞれ本願補正発明の「第１の種類数の演出が実行される場合」及び「該第１の種類数よりも多い第２の種類数の演出が実行される場合」であると言える。してみれば、引用発明の「擬似連の表示演出として、仮停止の回数が１回の場合に、初回変動の期間において、キャラクタ画像７９ａが表示され、初回変動に続く再変動期間において、キャラクタ画像７９ｂ表示され、仮停止の回数が２回の場合には、初回変動、それに続く再変動にさらに続く再変動の期間において、キャラクタ画像７９ｃが表示される」ことは、本願補正発明の「前記再可変表示が実行されるときに、第１の種類数の演出が実行される場合よりも、該第１の種類数よりも多い第２の種類数の演出が実行される場合の方が、前記有利状態となる期待度が高い」ことと、「前記再可変表示が実行されるときに、第１の種類数の演出が実行される場合と、該第１の種類数よりも多い第２の種類数の演出が実行される場合がある」点で共通する。
　上記ａ〜ｈによれば、本願補正発明と引用発明とは、
「Ａ　開始条件が成立したことに基づいて第１識別情報の可変表示を行い表示結果を導出する第１可変表示手段と、開始条件が成立したことに基づいて第２識別情報の可変表示を、前記第１可変表示手段の可変表示よりも優先して行い表示結果を導出する第２可変表示手段と、を備え、前記第１可変表示手段又は前記第２可変表示手段に特定表示結果が導出されたときに、遊技者にとって有利な有利状態に制御可能な遊技機であって、
Ｂ　前記開始条件が成立していない前記第１識別情報の可変表示又は前記第２識別情報の可変表示の表示結果が、前記特定表示結果となるか否かを判定する判定手段と、
Ｃ　前記有利状態終了後、前記第２識別情報の可変表示の実行頻度を高くすることが可能な高頻度制御を実行する高頻度制御実行手段と、
Ｅ　前記第１識別情報の可変表示又は前記第２識別情報の可変表示が開始されてから表示結果が導出されるまでに一旦仮停止させた後に可変表示を再度実行する再可変表示を所定回数実行する再可変表示実行手段と、
Ｆ　前記再可変表示が実行されるときに、当該再可変表示の回数に応じた演出を実行する演出実行手段と、を備え、
Ｇ’　前記再可変表示が実行されるときに、第１の種類数の演出が実行される場合と、該第１の種類数よりも多い第２の種類数の演出が実行される場合がある
Ｈ　遊技機。」
である点で一致し、次の２点で相違する。
相違点１　本願補正発明は「Ｄ　前記高頻度制御が実行されているときに、前記開始条件が成立していない前記第１識別情報の可変表示の表示結果が前記特定表示結果となることを予告する予告演出の実行を禁止する禁止手段」を備えているのに対し、引用発明は、当該構成について特定されていない点。
相違点２　「Ｇ’　前記再可変表示が実行されるときに、第１の種類数の演出が実行される場合と、該第１の種類数よりも多い第２の種類数の演出が実行される場合がある」ことに関し、本願補正発明では、「第１の種類数の演出が実行される場合よりも、該第１の種類数よりも多い第２の種類数の演出が実行される場合の方が、前記有利状態となる期待度が高い」のに対し、引用発明では「有利状態となる期待度」について特定されていない点。
（４）判断 
　以下、相違点について検討する。
ア　相違点１について
　上記（２）引用文献の記載事項　イで示した引用文献２に記載された技術的事項について、「特別図柄が２個（保留８個タイプ）で優先消化機能を有する場合」とは、特別図柄が第１特別図柄と第２特別図柄の２個あり、「優先変動されない特別図柄（主にヘソ入賞対応の方）」とあることからして、第２特別図柄の保留を優先消化するということであり、引用発明の「識別情報としての第１特別図柄を変動表示し」、「識別情報としての第２特別図柄を、第２始動入賞口１４への入賞を優先させて変動表示」することに共通する。
　また、引用文献２に記載された技術的事項の「電チューサポート時」とは、可変入賞球装置を開状態として、遊技球が入賞しやすくなることを意味することは、当業者には明らかであり、引用発明の「始動入賞口１４が開放しやすくなって、始動入賞が生じやすくなることで、第２特別図柄の変動表示が開始されやすくなる確変状態」に共通する。
　ここで、引用発明は、「識別情報としての第２特別図柄を、第２始動入賞口１４への入賞を優先させて変動表示し、表示結果（停止図柄）を導出表示する」ものであり、「第１特別図柄」の「変動表示の表示結果を大当りとするか否かを決定し」たとしても、「識別情報としての第２特別図柄」が優先して変動表示され、「識別情報としての第１特別図柄」は優先されない変動表示となる。
　そうすると、引用発明と、引用文献２に記載された技術的事項は、「識別情報としての第１特別図柄を変動表示し」、「識別情報としての第２特別図柄を、第２始動入賞口１４への入賞を優先させて変動表示」する点、「始動入賞口１４が開放しやすくなって、始動入賞が生じやすくなることで、第２特別図柄の変動表示が開始されやすくなる確変状態」となる点で共通するものであり、引用文献２に記載された技術的事項では、「電チューサポート時は、優先変動されない特別図柄（主にヘソ入賞対応の方）では、先読み演出を発生させない」としているのであるから、引用発明においても、確変状態の時は、識別情報としての第１特別図柄について、先読み演出を発生させないようなものとすることで、上記相違点１に係る本願補正発明の構成とすることは、当業者であれば容易に為し得たことである。
イ　相違点２について
　擬似連続変動の再変動表示を行う際に、擬似連続変動の回数に応じて、異なるキャラクタ画像を表示させる演出表示を行うこと、擬似連続変動の回数が多くなるに従って、可変表示結果が「大当たり」となる割合が高くなることは、上記（２）引用文献の記載事項　ウ及びエにて示したように、引用文献３、引用文献４に記載されるとおり、周知技術である。ここで、異なるキャラクタ画像を表示させる演出表示を行うことは、演出の種類が異なるのであるから、上記周知技術は、擬似連続変動の再変動表示を行う際に、演出表示の種類の数が多くなるにしたがって、可変表示結果が「大当たり」となる割合が高くなるものである。
　そして、引用発明は、上記（３）対比ｇで示したとおり、「前記再可変表示が実行されるときに、第１の種類数の演出が実行される場合と、該第１の種類数よりも多い第２の種類数の演出が実行される場合がある」ものであるから、引用発明に、上記周知技術を適用し、第１の種類数の演出が実行される場合よりも、該第１の種類数よりも多い第２の種類数の演出が実行される場合の方が、可変表示結果が「大当たり」となる割合が高くなるようにすることで、上記相違点２に係る本願補正発明の構成とすることは、当業者であれば容易に為し得たことである。
ウ　そして、これらの相違点を総合的に勘案しても、本件補正発明の奏する作用効果は、引用発明、引用文献２に記載された技術的事項及び上記周知技術の奏する作用効果から予測される範囲内のものにすぎず、格別顕著なものということはできない。
　したがって、本願補正発明は、引用発明、引用文献２に記載された技術的事項及び周知技術に基づいて、当業者であれば容易に発明をすることができたものである。
（５）請求人の主張について 
　請求人は審判請求書において、
「これに対しまして、まず、引用文献１には、上記（ｄ）の構成について、何ら開示されていません。また、引用文献１には、上記（ｇ）の構成について、何ら開示されていません。つまり、上記（ｇ）のように、再可変表示が実行されるときに、第１の種類数よりも多い第２の種類数の演出が実行されることについて、引用文献１には、何ら開示されていません。そのため、上記（ｇ）のように、第２の種類数の演出が実行される場合の方が、有利状態となる期待度が高いことについても、引用文献１には、何ら開示されていません。
　また、引用文献２の発明には、電チューサポート時及び大当り中において、優先変動されない方の特別図柄では、先読み演出を発生させないことが開示されているだけであり、上記（ｇ）の構成について、何ら開示されていません。
　そして、引用文献３には、図９の変動パターンからも明らかなように、再可変表示について何ら開示されていません。そのため、上記（ｇ）の構成について、引用文献３には、何ら開示されていません。
　このように、引用文献１の発明に引用文献２，３の発明を適用したとしても、本願請求項１に係る発明のように、再可変表示が実行される間において、何種類の演出が実行されるかに注目させることにより、遊技者の期待感を向上させるという顕著な効果を奏することができません。」
と主張している。
　しかし、請求人が主張する（ｄ）、（ｇ）の点については、上記（４）判断で示したとおりであり、請求人の主張は採用できない。
（６）まとめ
　以上のように、本願補正発明は、引用発明、引用文献２に記載された技術的事項及び周知技術に基づいて、当業者であれば容易に発明をすることができたものであるから、特許法第２９条第２項の規定により、特許出願の際独立して特許を受けることができない。 
４　補正の却下の決定についてのむすび 
　上記３より、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１　本願発明 
　本件補正（平成３０年１月１７日付け手続補正）は、上記第２のとおり却下されたので、本願の請求項１に係る発明（以下、「本願発明」という。）は、平成２８年１１月１０日付け手続補正書により補正された、上記第２［理由］１で示した特許請求の範囲の請求項１に記載された次のとおりのものである。 
「【請求項１】
　開始条件が成立したことに基づいて第１識別情報の可変表示を行い表示結果を導出する第１可変表示手段と、開始条件が成立したことに基づいて第２識別情報の可変表示を、前記第１可変表示手段の可変表示よりも優先して行い表示結果を導出する第２可変表示手段と、を備え、前記第１可変表示手段又は前記第２可変表示手段に特定表示結果が導出されたときに、遊技者にとって有利な有利状態に制御可能な遊技機であって、
　前記開始条件が成立していない前記第１識別情報の可変表示又は前記第２識別情報の可変表示の表示結果が、前記特定表示結果となるか否かを判定する判定手段と、
　前記有利状態終了後、前記第２識別情報の可変表示の実行頻度を高くすることが可能な高頻度制御を実行する高頻度制御実行手段と、
　前記高頻度制御が実行されているときに、前記開始条件が成立していない前記第１識別情報の可変表示の表示結果が前記特定表示結果となることを予告する予告演出の実行を禁止する禁止手段と、
　前記第１識別情報の可変表示又は前記第２識別情報の可変表示が開始されてから表示結果が導出されるまでに一旦仮停止させた後に可変表示を再度実行する再可変表示を所定回数実行する再可変表示実行手段と、
　前記再可変表示が実行されるときに、当該再可変表示の回数に応じた演出を実行する演出実行手段と、を備える、
　ことを特徴とする遊技機。」
２　原査定の拒絶の理由の概略
１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由１（進歩性）について
・請求項　１
・引用文献等　１、２
　　　　　　　　　　　　　＜引用文献等一覧＞
１.特開２００９−１３６４３５号公報
２.噂をズバッと！！，パチンコ攻略マガジン2008年8月24日号，株式会社双葉社，２００８年　８月２４日，p.141
３　引用文献
　原査定の拒絶の理由で引用された、引用文献１及び引用文献２の記載事項は、上記第２［理由］３（２）ア及びイに記載したとおりである。 
４　対比・判断
　本願補正発明は、上記第２［理由］２で示したとおり、本願発明に対して、「演出実行手段」が実行する演出について、「前記再可変表示が実行されるときに、第１の種類数の演出が実行される場合よりも、該第１の種類数よりも多い第２の種類数の演出が実行される場合の方が、前記有利状態となる期待度が高い」と限定したものである。
　そうすると、本願発明の発明特定事項を全て含み、さらに他の事項を付加したものに相当する本願補正発明が、上記第２［理由］３（４）に記載したとおり、引用発明、引用文献２に記載された技術的事項及び周知技術に基づいて、当業者であれば容易に発明をすることができたものであり、上記限定に対して、上記第２［理由］３（４）イに示したとおり周知技術を適用したものであるから、本願発明は、引用発明及び引用文献２に記載された技術的事項に基づいて、当業者が容易に発明をすることができたものである。
第４　むすび 
　以上のとおり、本願発明は、特許法第２９条第２項の規定により特許を受けることができないから、本願は拒絶すべきものである。 
　よって、結論のとおり審決する。